(57)【要約】【課題】固体光源が発する光量を一定に保つとともに、省消費電力化を図ることを可能とする照明装置、映像表示装置及び投写型映像表示装置を提供する。【解決手段】照明装置１２０は、固体光源１０と、固体光源１０を冷却するペルチェ素子２０と、固体光源１０から出射される光量を検出する光量センサ７０と、固体光源１０及びペルチェ素子２０の消費電力とを監視する消費電力監視部１５３と、固体光源１０及びペルチェ素子２０に供給する電力とを制御する電力制御部１５４とを備え、電力制御部１５４は、光量センサ７０によって検出された光量と、固体光源１０及びペルチェ素子２０の消費電力の和とに基づいて、固体光源１０及びペルチェ素子２０に供給する電力を制御する。【選択図】図１
2008305791.tif 000002
【特許請求の範囲】
【請求項１】
固体光源と、
前記固体光源を冷却する冷却装置と、
前記固体光源から出射される光量を検出する光量センサと、
前記固体光源の消費電力と前記冷却装置の消費電力とを監視する監視部と、
前記固体光源に供給する電力と前記冷却装置に供給する電力とを制御する制御部とを備え、
前記制御部は、前記光量センサによって検出された光量と、前記固体光源の消費電力及び前記冷却装置の消費電力の和とに基づいて、前記固体光源に供給する電力又は前記冷却装置に供給する電力を制御することを特徴とする照明装置。
【請求項２】
前記制御部は、前記固体光源の消費電力及び前記冷却装置の消費電力の和を可及的に小さくするように、前記固体光源に供給する電力又は前記冷却装置に供給する電力を制御することを特徴とする請求項１に記載の照明装置。
【請求項３】
前記制御部は、前記光量センサによって検出された光量を目標光量として維持するように、前記固体光源に供給する電力又は前記冷却装置に供給する電力を制御することを特徴とする請求項１に記載の照明装置。
【請求項４】
前記制御部は、前記固体光源及び前記冷却装置に供給する電力が定常状態であっても、前記冷却装置に供給する電力の増減を所定周期で繰り返すことを特徴とする請求項１に記載の照明装置。
【請求項５】
前記制御部は、前記固体光源及び前記冷却装置に供給する電力が定常状態であっても、前記固体光源に供給する電力の増減を所定周期で繰り返すことを特徴とする請求項１に記載の照明装置。
【請求項６】
前記固体光源は、複数の光源素子がアレイ状に配置されたアレイ光源であることを特徴とする請求項１に記載の照明装置。
【請求項７】
固体光源が発する光を変調する光変調素子と、請求項１に記載の照明装置とを備えることを特徴とする映像表示装置。
【請求項８】
固体光源が発する光を変調する光変調素子と、前記光変調素子によって変調された光を投写する投写レンズユニットと、請求項１に記載の照明装置とを備えることを特徴とする投写型映像表示装置。
【発明の詳細な説明】
【技術分野】
【０００１】
本発明は、固体光源と、固体光源が発する光を変調する光変調素子とを備えた照明装置、映像表示装置及び投写型映像表示装置に関する。
【背景技術】
【０００２】
従来、ＬＥＤ（Ｌｉｇｈｔ  Ｅｍｉｔｔｉｎｇ  Ｄｉｏｄｅ）やＬＤ（Ｌａｓｅｒ  Ｄｉｏｄｅ）などの固体光源と、固体光源が発する光を変調する光変調素子とを備えた映像表示装置が知られている。ここで、固体光源に電力が供給されると、固体光源が熱を生じる。固体光源の動作温度が高くなると、固体光源が発する光量が減少する。
【０００３】
従って、固体光源の動作温度の上昇に伴う光量の減少を抑制するために、固体光源を冷却するペルチェ素子などの冷却装置が設けられた映像表示装置も提案されている（例えば、特許文献１）。
【０００４】
具体的には、この映像表示装置では、固体光源が発する光量が目標光量に近づくように、冷却装置の冷却力が制御される。これによって、固体光源が発する光量が一定に保たれている。
【特許文献１】特開２００５−１４９９４３号公報（請求項６、請求項７、［００２４］など）
【発明の開示】
【発明が解決しようとする課題】
【０００５】
ところで、近年では、環境への配慮などの観点から、映像表示装置の省消費電力化が要求されている。
【０００６】
しかしながら、上述した映像表示装置では、固体光源が発する光量を一定に保つために、冷却装置の冷却力が制御されているに過ぎない。従って、省消費電力化の要求に対する対策が不十分である。
【０００７】
そこで、本発明は、固体光源が発する光量を一定に保つとともに、省消費電力化を図ることを可能とする照明装置、映像表示装置及び投写型映像表示装置を提供することを目的とする。
【課題を解決するための手段】
【０００８】
本発明の一の特徴では、照明装置は、固体光源（固体光源１０）と、前記固体光源を冷却する冷却装置（ペルチェ素子２０）と、前記固体光源から出射される光量を検出する光量センサ（光量センサ７０）と、前記固体光源の消費電力と前記冷却装置の消費電力とを監視する監視部（消費電力監視部１５３）と、前記固体光源に供給する電力と前記冷却装置に供給する電力とを制御する制御部（電力制御部１５４）とを備え、前記制御部は、前記光量センサによって検出された光量と、前記固体光源の消費電力及び前記冷却装置の消費電力の和とに基づいて、前記固体光源に供給する電力又は前記冷却装置に供給する電力を制御する。
【０００９】
かかる特徴によれば、固体光源又は冷却装置に供給する電力の制御において、固体光源及び冷却装置の和が考慮されるため、固体光源が発する光量を一定に保つとともに、省消費電力化を図ることができる。
【００１０】
本発明の上述した特徴において、前記制御部は、前記固体光源の消費電力及び前記冷却装置の消費電力の和を可及的に小さくするように、前記固体光源に供給する電力又は前記冷却装置に供給する電力を制御することが好ましい。なお、前記制御部は、前記固体光源の消費電力及び前記冷却装置の消費電力の和を最小化することが好ましい。
【００１１】
本発明の上述した特徴において、前記制御部は、前記光量センサによって検出された光量を目標光量として維持するように、前記固体光源に供給する電力又は前記冷却装置に供給する電力を制御することが好ましい。
【００１２】
本発明の上述した特徴において、前記制御部は、前記固体光源及び前記冷却装置に供給する電力が定常状態であっても、前記冷却装置に供給する電力の増減を所定周期で繰り返すことが好ましい。
【００１３】
本発明の上述した特徴において、前記制御部は、前記固体光源及び前記冷却装置に供給する電力が定常状態であっても、前記固体光源に供給する電力の増減を所定周期で繰り返すことが好ましい。
【００１４】
本発明の上述した特徴において、前記固体光源は、複数の光源素子がアレイ状に配置されたアレイ光源であることが好ましい。
【００１５】
本発明の一の特徴では、映像表示装置は、固体光源が発する光を変調する光変調素子と、上述した照明装置とを備える。
【００１６】
本発明の一の特徴では、投写型映像表示装置は、固体光源が発する光を変調する光変調素子と、前記光変調素子によって変調された光を投写する投写レンズユニットと、上述した照明装置とを備える。
【発明の効果】
【００１７】
本発明によれば、固体光源が発する光量を一定に保つとともに、省消費電力化を図ることを可能とする照明装置、映像表示装置及び投写型映像表示装置を提供することができる。
【発明を実施するための最良の形態】
【００１８】
以下において、本発明の実施形態に係る映像表示装置について、図面を参照しながら説明する。なお、以下の図面の記載において、同一又は類似の部分には、同一又は類似の符号を付している。
【００１９】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００２０】
［第１実施形態］
（映像表示装置の概略）
以下において、第１実施形態に係る映像表示装置の概略について、図面を参照しながら説明する。図１は、第１実施形態に係る投写型映像表示装置１００の構成を示す図である。
【００２１】
図１に示すように、投写型映像表示装置１００は、投写レンズユニット１１０と、照明装置１２０とを有する。
【００２２】
投写レンズユニット１１０は、照明装置１２０から出射された映像光をスクリーン（不図示）上に投写する。
【００２３】
照明装置１２０は、複数の固体光源１０（固体光源１０Ｒ、固体光源１０Ｇ及び固体光源１０Ｂ）と、複数のペルチェ素子２０（ペルチェ素子２０Ｒ、ペルチェ素子２０Ｇ及びペルチェ素子２０Ｂ）と、複数のヒートシンク３０（ヒートシンク３０Ｒ、ヒートシンク３０Ｇ及びヒートシンク３０Ｂ）と、複数の回折素子４０（回折素子４０Ｒ、回折素子４０Ｇ及び回折素子４０Ｂ）と、複数の液晶パネル５０（液晶パネル５０Ｒ、液晶パネル５０Ｇ及び液晶パネル５０Ｂ）と、クロスダイクロイックキューブ６０と、光量センサ７０とを有する。
【００２４】
固体光源１０Ｒは、赤成分光を発するＬＥＤやＬＤなどの固体光源である。同様に、固体光源１０Ｇ及び固体光源１０Ｂは、緑成分光及び青成分光を発するＬＥＤやＬＤなどの固体光源である。なお、固体光源１０は、複数のＬＥＤやＬＤがアレイ状に配置されたアレイ光源であってもよい。
【００２５】
ここで、固体光源１０Ｒ、固体光源１０Ｇ及び固体光源１０Ｂには、後述する制御／電源回路１５０が各電力線１５（電力線１５Ｒ、電力線１５Ｇ及び電力線１５Ｂ）を介して接続される。各固体光源１０には、制御／電源回路１５０から各電力線１５を介して電力が供給される。各固体光源１０が発する光量は、制御／電源回路１５０によって制御される。
【００２６】
ペルチェ素子２０Ｒは、電力の供給によって固体光源１０Ｒが発する熱を吸収し、固体光源１０Ｒが発する熱をヒートシンク３０Ｒに伝達する素子である。
【００２７】
同様に、ペルチェ素子２０Ｇは、電力の供給によって固体光源１０Ｇが発する熱を吸収し、固体光源１０Ｇが発する熱をヒートシンク３０Ｇに伝える素子である。ペルチェ素子２０Ｂは、電力の供給によって固体光源１０Ｂが発する熱を吸収し、固体光源１０Ｂが発する熱をヒートシンク３０Ｂに伝える素子である。
【００２８】
ここで、ペルチェ素子２０Ｒ、ペルチェ素子２０Ｇ及びペルチェ素子２０Ｂには、後述する制御／電源回路１５０が各電力線２５（電力線２５Ｒ、電力線２５Ｇ及び電力線２５Ｂ）を介して接続される。各ペルチェ素子２０には、制御／電源回路１５０から各電力線２５を介して電力が供給される。各ペルチェ素子２０の冷却力は、制御／電源回路１５０によって制御される。
【００２９】
ヒートシンク３０Ｒは、金属などの熱伝導性部材によって構成されており、ペルチェ素子２０Ｒから伝わった熱を放熱する。同様に、ヒートシンク３０Ｇ及びヒートシンク３０Ｂは、金属などの熱伝導性部材によって構成されており、ペルチェ素子２０Ｇ及びペルチェ素子２０Ｂから伝わった熱を放熱する。なお、ヒートシンク３０Ｒ、ヒートシンク３０Ｇ及びヒートシンク３０Ｂは、照明装置１２０の外側に連通する冷却ファン（不図示）によって冷却されることが好ましい。
【００３０】
回折素子４０Ｒは、固体光源１０Ｒが発する赤成分光を均一化し、均一化された赤成分光は、液晶パネル５０Ｒに照射される。同様に、回折素子４０Ｇ及び回折素子４０Ｂは、固体光源１０Ｇ及び固体光源１０Ｂが発する緑成分光及び青成分光を均一化し、均一化された緑成分光及び青成分光は、液晶パネル５０Ｇ及び液晶パネル５０Ｂに照射される。
【００３１】
液晶パネル５０Ｒは、映像入力信号に応じて固体光源１０Ｒが発する赤成分光を変調する。液晶パネル５０Ｇ及び液晶パネル５０Ｂは、映像入力信号に応じて固体光源１０Ｇ及び固体光源１０Ｂが発する緑成分光及び青成分光を変調する。
【００３２】
クロスダイクロイックキューブ６０は、液晶パネル５０Ｒ、液晶パネル５０Ｇ及び液晶パネル５０Ｂから出射された赤成分光、緑成分光及び青成分光を合成する。具体的には、クロスダイクロイックキューブ６０は、赤成分光を投写レンズユニット１１０側に反射して、緑成分光を投写レンズユニット１１０側に透過するミラー面６１ａと、青成分光を投写レンズユニット１１０側に反射して、緑成分光を投写レンズユニット１１０側に透過するミラー面６１ｂとを有する。
【００３３】
光量センサ７０は、固体光源１０が発する光量を検出する。具体的には、光量センサ７０は、固体光源１０が発する光の有効範囲外に設けられている。なお、図１では示されていないが、光量センサ７０は、後述する制御／電源回路１５０に接続されていることに留意すべきである。
【００３４】
例えば、光量センサ７０は、投写レンズユニット１１０に設けられている。なお、光量センサ７０は、クロスダイクロイックキューブ６０に設けられていてもよく、スクリーン（不図示）のオーバスキャン部に設けられていてもよい。
【００３５】
照明装置１２０は、上述した構成に加えて、制御／電源回路１５０を有する。
【００３６】
制御／電源回路１５０は、電力線１５Ｒ、電力線１５Ｇ及び電力線１５Ｂを介して、固体光源１０Ｒ、固体光源１０Ｇ及び固体光源１０Ｂに接続されている。制御／電源回路１５０は、各電力線１５を介して電力を各固体光源１０に供給する。制御／電源回路１５０は、各固体光源１０に供給される電力を制御する。
【００３７】
制御／電源回路１５０は、電力線２５Ｒ、電力線２５Ｇ及び電力線２５Ｂを介して、ペルチェ素子２０Ｒ、ペルチェ素子２０Ｇ及びペルチェ素子２０Ｂに接続されている。制御／電源回路１５０は、各電力線２５を介して電力を各ペルチェ素子２０に供給する。制御／電源回路１５０は、各ペルチェ素子２０に供給される電力を制御する。
【００３８】
なお、制御／電源回路１５０の詳細については後述する（図３を参照）。
【００３９】
（動作温度と消費電力との関係）
以下において、第１実施形態に係る動作温度と消費電力との関係について、図面を参照しながら説明する。図２は、第１実施形態に係る動作温度と消費電力との関係の一例を示す図である。
【００４０】
具体的には、図２は、各固体光源１０の消費電力の和（ＷＬｔｏｔａｌ）と動作温度との関係、各ペルチェ素子２０の消費電力の和（ＷＰｔｏｔａｌ）と動作温度との関係、各固体光源１０及び各ペルチェ素子２０の消費電力の総和（Ｗ）と動作温度との関係を示している。なお、図２では、温度Ｔは、固体光源１０の推奨動作温度である。すなわち、温度Ｔにおいて、消費電力の総和（Ｗ）が最小となる。
【００４１】
図２に示すように、各固体光源１０の消費電力の和（ＷＬｔｏｔａｌ）は、動作温度の上昇に伴って増加する。一方で、各ペルチェ素子２０の消費電力の和（ＷＰｔｏｔａｌ）は、動作温度の上昇に伴って減少する。
【００４２】
一方で、消費電力の総和（Ｗ）は、ペルチェ素子２０の特性や環境条件に応じて変動する。すなわち、動作温度が推奨動作温度Ｔであっても、消費電力の総和（Ｗ）が常に最小となるとは限らないことに留意すべきである。
【００４３】
（制御回路の構成）
以下において、第１実施形態に係る制御回路の構成について、図面を参照しながら説明する。図３は、第１実施形態に係る制御／電源回路１５０の構成を示すブロック図である。
【００４４】
図３に示すように、制御／電源回路１５０は、固体光源用電源１５１と、ペルチェ素子用電源１５２と、消費電力監視部１５３と、電力制御部１５４とを有する。
【００４５】
固体光源用電源１５１は、各電力線１５を介して各固体光源１０に電力を供給する。固体光源用電源１５１は、各固体光源１０の消費電力を消費電力監視部１５３に通知する。
【００４６】
ペルチェ素子用電源１５２は、各電力線２５を介して各ペルチェ素子２０に電力を供給する。ペルチェ素子用電源１５２は、各ペルチェ素子２０の消費電力を消費電力監視部１５３に通知する。
【００４７】
消費電力監視部１５３は、各固体光源１０の消費電力と各ペルチェ素子２０の消費電力とを監視する。消費電力監視部１５３は、各固体光源１０及び各ペルチェ素子２０の消費電力の総和（Ｗ）を電力制御部１５４に通知する。
【００４８】
電力制御部１５４は、各固体光源１０に供給する電力（α）と各ペルチェ素子２０に供給する電力（β）とを制御する。具体的には、電力制御部１５４は、所定ステップ幅（Δα）単位で各固体光源１０に供給する電力（α）を制御する。一方で、電力制御部１５４は、所定ステップ幅（Δβ）単位で各ペルチェ素子２０に供給する電力（β）を制御する。
【００４９】
ここで、電力制御部１５４は、各固体光源１０及び各ペルチェ素子２０の消費電力の総和（Ｗ）を可及的に小さくするように、固体光源１０及びペルチェ素子２０に供給する電力を制御する。
【００５０】
なお、電力制御部１５４は、各固体光源１０及び各ペルチェ素子２０の消費電力の総和（Ｗ）を最小化することが好ましい。
【００５１】
また、電力制御部１５４は、光量センサ７０によって検出された光量を目標光量として維持するように、固体光源１０及びペルチェ素子２０に供給する電力を制御する。
【００５２】
ここで、目標光量とは、固体光源１０が発するべき光量である。固体光源１０が発する光は、各液晶パネル５０で変調されるため、目標光量は、各液晶パネル５０の変調量（すなわち、映像入力信号）に応じて異なることに留意すべきである。
【００５３】
（電力制御部の動作）
以下において、第１実施形態に係る電力制御部の動作について、図面を参照しながら説明する。図４〜図６は、第1実施形態に係る電力制御部１５４の動作を示すフロー図である。
【００５４】
図４に示すように、ステップ１０において、電力制御部１５４は、固体光源１０に供給する電力（α）及びペルチェ素子２０に供給する電力（β）として、初期電力をセットする。初期電力は、例えば、上述した図２において、推奨動作温度（Ｔ）に対応する固体光源１０及びペルチェ素子２０の電力である。
【００５５】
ステップ１１において、電力制御部１５４は、待ち時間（１）が経過するまで待ち状態となる。待ち時間（１）は、固体光源１０及びペルチェ素子２０の動作が安定するまでに必要な待ち時間である。
【００５６】
ステップ１２において、電力制御部１５４は、固体光源１０及びペルチェ素子２０の消費電力の総和（消費電力（Ｗ））を取得する。
【００５７】
ステップ１３において、電力制御部１５４は、ペルチェ素子２０に供給する電力（β）をステップ幅（Δβ）増加させる。なお、ステップ１３において、電力制御部１５４は、ペルチェ素子２０に供給する電力（β）をステップ幅（Δβ）減少させてもよい。
【００５８】
ステップ１４において、電力制御部１５４は、待ち時間（２）が経過するまで待ち状態となる。待ち時間（２）は、ペルチェ素子２０によって調整される固体光源１０の動作温度が安定するまでに必要な待ち時間である。
【００５９】
ステップ１５において、電力制御部１５４は、光量センサ７０によって検出された光量（検出光量）を取得する。
【００６０】
ステップ１６において、電力制御部１５４は、検出光量が目標光量と一致するか否かを判定する。電力制御部１５４は、検出光量が目標光量と一致する場合には、ステップ１７の処理に移る。一方で、電力制御部１５４は、検出光量が目標光量と一致しない場合には、ステップ２６の処理に移る（図６を参照）。
【００６１】
ステップ１７において、電力制御部１５４は、固体光源１０及びペルチェ素子２０の消費電力の総和（消費電力（Ｗ））を取得する。
【００６２】
なお、一連の処理がステップ１２から順に処理される場合には、電力制御部１５４は、ステップ１２で取得した消費電力（Ｗ）を消費電力（Ｗｐｒｅｖ）として記憶する。ここで、消費電力（Ｗ）は、今回の消費電力を示しており、消費電力（Ｗｐｒｅｖ）は、前回の消費電力を示すことに留意すべきである。
【００６３】
ステップ１８において、電力制御部１５４は、反転回数（Ｍ）が“２”であるか否かを判定する。
【００６４】
ここで、反転回数（Ｍ）は、図４〜図６の一連の処理において、ステップ幅（Δβ）の極性（“＋”＝“増加”、“−”＝“減少”）を反転させた回数である。反転回数（Ｍ）の初期値は“０”である。
【００６５】
ステップ１９において、電力制御部１５４は、待ち時間（３）が経過するまで待ち状態となる。待ち時間（３）は、固体光源１０及びペルチェ素子２０の消費電力の総和（Ｗ）の最小化処理（ステップ１２〜ステップ２７）を繰り返す所定周期である。
【００６６】
すなわち、消費電力の総和（Ｗ）が可及的に小さくされた状態（定常状態）であっても、消費電力の総和（Ｗ）の最小化処理が所定周期毎に繰り返される。
【００６７】
図５に示すように、ステップ２０において、電力制御部１５４は、ステップ１７で取得された消費電力の総和（Ｗ）が消費電力の総和（Ｗｐｒｅｖ）よりも大きいか否か判定する。電力制御部１５４は、消費電力の総和（Ｗ）が消費電力の総和（Ｗｐｒｅｖ）よりも大きい場合には、ステップ２１の処理に移る。一方で、電力制御部１５４は、消費電力の総和（Ｗ）が消費電力の総和（Ｗｐｒｅｖ）以下である場合には、ステップ２２の処理に移る。
【００６８】
ステップ２１において、電力制御部１５４は、反転回数（Ｍ）に“１”を加算する。
【００６９】
ステップ２２において、電力制御部１５４は、固体光源１０の動作温度が動作保証温度であるか否かを判定する。一般に、固体光源が安定的に発光することができる環境について、固体光源のメーカ側が保証する温度範囲が定められている。このような温度範囲は、固体光源のカタログ等に記載されている。本明細書では、メーカが固体光源の動作（安定的な発光）を保証する温度範囲の上限を「動作保証温度」とする。電力制御部１５４は、固体光源１０の動作温度が動作保証温度である場合には、ステップ２３の処理に移る。一方で、電力制御部１５４は、固体光源１０の動作温度が動作保証温度でない場合には、ステップ２４の処理に移る。
【００７０】
ステップ２３において、電力制御部１５４は、ステップ幅（Δβ）の極性を反転させる。すなわち、ペルチェ素子２０に供給する電力（β）を増加させていた場合には、電力制御部１５４は、後述するステップ２４でペルチェ素子２０に供給する電力（β）を減少させる。一方で、ペルチェ素子２０に供給する電力（β）を減少させていた場合には、電力制御部１５４は、後述するステップ２４でペルチェ素子２０に供給する電力（β）を増加させる。
【００７１】
ステップ２４において、電力制御部１５４は、消費電力（Ｗｐｒｅｖ）を更新する。具体的には、電力制御部１５４は、現時点における消費電力（Ｗ）を消費電力（Ｗｐｒｅｖ）として記憶する。
【００７２】
ステップ２５において、電力制御部１５４は、ペルチェ素子２０に供給する電力（β）をステップ幅（Δβ）増減させる。上述したように、ステップ２４では、電力制御部１５４は、ステップ２３で設定された極性に従って、ペルチェ素子２０に供給する電力（β）を増減させることに留意すべきである。
【００７３】
なお、電力制御部１５４は、ステップ２５の処理が終了すると、上述したステップ１４の処理に移る（図４を参照）。
【００７４】
図６に示すように、ステップ２６において、電力制御部１５４は、ステップ１５で取得された検出光量が目標光量よりも大きいか否かを判定する。電力制御部１５４は、検出光量が目標光量よりも大きい場合には、ステップ２７の処理に移る。一方で、電力制御部１５４は、検出光量が目標光量以下である場合には、ステップ２８の処理に移る。
【００７５】
ステップ２７において、電力制御部１５４は、固体光源１０に供給する電力（α）をステップ幅（Δα）減少させる。
【００７６】
ステップ２８において、電力制御部１５４は、固体光源１０に供給する電力（α）をステップ幅（Δα）増加させる。
【００７７】
なお、電力制御部１５４は、ステップ２７又はステップ２８の処理が終了すると、上述したステップ１５の処理に移る（図４を参照）。
【００７８】
また、電力制御部１５４は、上述したステップ１４の処理に移ってもよい。なお、固体光源１０が発する光量が安定するまでに必要な待ち時間は、ペルチェ素子２０によって調整される固体光源１０の動作温度が安定するまでに必要な待ち時間よりも短いことが一般的である。従って、上述したステップ１４の処理に移った際における待ち時間は、待ち時間（２）よりも短くてもよい。
【００７９】
（作用及び効果）
第１実施形態に係る照明装置１２０によれば、固体光源１０及びペルチェ素子２０に供給する電力の制御において、固体光源１０及びペルチェ素子２０の消費電力の総和（Ｗ）が考慮される。従って、固体光源１０が発する光量を一定に保つとともに、省消費電力化を図ることができる。
【００８０】
第１実施形態に係る照明装置１２０によれば、消費電力の総和（Ｗ）が可及的に小さくされた定常状態であっても、消費電力の総和（Ｗ）の最小化処理が所定周期（待ち時間（３））毎に繰り返される。従って、固体光源１０及びペルチェ素子２０の環境条件が変化した場合であっても、消費電力の総和（Ｗ）を最小値で維持することができる。
【００８１】
［実施例１］
以下において、実施例１について図面を参照しながら説明する。図７は、実施例１を説明するための図である。具体的には、実施例１では、消費電力の総和（Ｗ）が動作温度の上昇に伴って減少した後に、消費電力の総和（Ｗ）が再び増大する場合に、消費電力の総和（Ｗ）の最小値を判定する方法について説明する。このような場合としては、環境の温度が高い夏などが考えられる。
【００８２】
図７に示すように、開始位置（すなわち、推奨動作温度）において、ペルチェ素子２０に供給する電力（β）をステップ幅（Δβ）増加する動作が継続される。この場合において、反転位置（１）で消費電力の総和（Ｗ）が増大するため、ステップ幅（Δβ）の極性が反転される。
【００８３】
続いて、ペルチェ素子２０に供給する電力（β）をステップ幅（Δβ）減少する動作が継続される。この場合において、反転位置（２）で消費電力の総和（Ｗ）が増大するため、ステップ幅（Δβ）の極性が反転される。
【００８４】
従って、反転位置（２）における電力（β）をステップ幅（Δβ）増加させた状態で、消費電力の総和（Ｗ）が最小となる。
【００８５】
[実施例２]
以下において、実施例２について図面を参照しながら説明する。図８は、実施例２を説明するための図である。具体的には、実施例２では、消費電力の総和（Ｗ）が動作温度の上昇に伴って減少した後に、消費電力の総和（Ｗ）が再び増大せずに動作温度が動作保証温度に達する場合に、消費電力の総和（Ｗ）の最小値を判定する方法について説明する。このような場合としては、環境の温度が低い冬などが考えられる。
【００８６】
図７に示すように、開始位置（すなわち、推奨動作温度）において、ペルチェ素子２０に供給する電力（β）をステップ幅（Δβ）増加する動作が継続される。この場合において、反転位置（１）で消費電力の総和（Ｗ）が増大するため、ステップ幅（Δβ）の極性が反転される。
【００８７】
続いて、ペルチェ素子２０に供給する電力（β）をステップ幅（Δβ）減少する動作が継続される。この場合において、消費電力の総和（Ｗ）が増大することなく、動作温度が動作保証温度に達するため、動作保証温度付近においてステップ幅（Δβ）の極性が反転される。
【００８８】
再び、ペルチェ素子２０に供給する電力（β）をステップ幅（Δβ）増加する動作が継続される。この場合において、反転位置（２）で消費電力の総和（Ｗ）が増大するため、ステップ幅（Δβ）の極性が反転される。
【００８９】
従って、反転位置（２）における電力（β）をステップ幅（Δβ）減少させた状態で、消費電力の総和（Ｗ）が最小となる。
【００９０】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【００９１】
例えば、上述した実施形態では、映像表示装置は、投写型映像表示装置１００であるが、映像を表示する装置であればよく、投写型装置に限定されるものではない。
【００９２】
上述した実施形態では、各固体光源１０に供給する電力が一律に制御されるが、これに限定されるものではない。各固体光源１０が発する光量を光量センサ７０が個別に検出可能であれば、各固体光源１０に供給する電力が個別に制御されてもよい。
【００９３】
同様に、上述した実施形態では、各ペルチェ素子２０に供給する電力が一律に制御されるが、これに限定されるものではない。各固体光源１０が発する光量を光量センサ７０が個別に検出可能であれば、各ペルチェ素子２０に供給する電力が個別に制御されてもよい。
【００９４】
上述した実施形態では、各ペルチェ素子２０に供給する電力を制御した上で、各固体光源１０に供給する電力が制御されるが、これに限定されるものではない。すなわち、各固体光源１０に供給する電力を制御した上で、各ペルチェ素子２０に供給する電力が制御されてもよい。
【００９５】
上述した実施形態では、固体光源１０及びペルチェ素子２０の双方に供給される電力が制御されるが、これに限定されるものではない。具体的には、固体光源１０及びペルチェ素子２０のいずれか一方のみに供給される電力が制御されてもよい。
【００９６】
上述した実施形態では、透過型液晶パネル（液晶パネル５０）が光変調素子として用いられるが、これに限定されるものではない。具体的には、光変調素子は、ＤＭＤ（Ｄｉｇｉｔａｌ  Ｍｉｃｒｏ−ｍｉｒｒｏｒ  Ｄｅｖｉｃｅ）やＬＣＯＳ（Ｌｉｑｕｉｄ  Ｃｒｙｓｔａｌ  ｏｎ  Ｓｉｌｉｃｏｎ）であってもよい。
【００９７】
上述した実施形態では、冷却装置としてペルチェ素子２０を例に挙げたが、これに限定されるものではない。具体的には、冷却装置として、液冷装置や空冷装置などを用いてもよい。
【図面の簡単な説明】
【００９８】
【図１】第1実施形態に係る投写型映像表示装置１００の構成を示す図である。
【図２】第１実施形態に係る動作温度と消費電力との関係を示す図である。
【図３】第１実施形態に係る制御／電源回路１５０の構成を示すブロック図である。
【図４】第１実施形態に係る電力制御部１５４の動作を示すフロー図である。
【図５】第１実施形態に係る電力制御部１５４の動作を示すフロー図である。
【図６】第１実施形態に係る電力制御部１５４の動作を示すフロー図である。
【図７】実施例１を説明するための図である。
【図８】実施例２を説明するための図である。
【符号の説明】
【００９９】
１０・・・固体光源、１５・・・電力線、２０・・・ペルチェ素子、２５・・・電力線、３０・・・ヒートシンク、４０・・・回折素子、５０・・・液晶パネル、６０・・・クロスダイクロイックキューブ、７０・・・光量センサ、１００・・・投写型映像表示装置、１１０・・・投写レンズユニット、１２０・・・照明装置、１５０・・・制御／電源回路、１５１・・・固体光源用電源、１５２・・・ペルチェ素子用電源、１５３・・・消費電力監視部、１５４・・・電力制御部
【図１】
2008305791.tif 000003
【図２】
2008305791.tif 000004
【図３】
2008305791.tif 000005
【図４】
2008305791.tif 000006
【図５】
2008305791.tif 000007
【図６】
2008305791.tif 000008
【図７】
2008305791.tif 000009
【図８】
2008305791.tif 000010